(57)【要約】【課題】端子蓋をグリップ側に配置しても外部端子使用時のユーザビリティを確保した撮像装置を提供することである。【解決手段】  グリップ部と、外部機器と接続する外部端子と、前記外部機器と非接続時に前記外部端子を覆う外部端子蓋を備えた撮像装置において、前記外部端子は、第一の外部端子と第二の外部端子の少なくとも2つからなり、前記第一の外部端子は、前記撮像装置の前記グリップ部の把持時に手で覆われない位置に配置され、前記外部端子蓋は、弾性部材からなる蓋部と前記蓋部から略平行に延出されたアームと、本体引掛け部から構成され、前記アーム部は前記第一の外部端子下端より上方に配置することを特徴とする構成とした。【選択図】  図１
2018084717.tif 000002
【特許請求の範囲】
【請求項１】
グリップ部（104）と、
外部機器と接続する外部端子（110）と、
前記外部機器と非接続時に前記外部端子を覆う外部端子蓋（106）を備えた
撮像装置（100）において、
前記外部端子は、
第一の外部端子（110a）と第二の外部端子（110b）の少なくとも2つからなり、
前記第一の外部端子は、前記撮像装置の前記グリップ部の
把持時に手で覆われない位置に配置され、
前記外部端子蓋は、
弾性部材からなる蓋部（106a）と前記蓋部から平行に延出されたアーム（106b）と、
本体引掛け部（106c）から構成され、
前記アーム部は前記第一の外部端子下端より上方に配置することを特徴とする
撮像装置の蓋構造。
【発明の詳細な説明】
【技術分野】
【０００１】
本発明は、デジタル一眼レフカメラなどの撮像装置に関し、特に外部端子を開閉自在に覆う蓋構造に関するものである。
【背景技術】
【０００２】
従来、デジタル一眼レフカメラなどの撮像装置は、さまざまな外部機器と接続し、電子機器の活用範囲を広げるため、多くの外部システム拡張端子類が装備されており、それらの端子類をほこりや水分から保護する為、開閉自在に覆う端子蓋が取り付けられている。また一般的に、デジタル一眼レフカメラはレリーズ釦、ファインダーを有し、撮影はファインダーを覗きながらレリーズ釦を押すブラインド操作になる。そのため、撮像装置のホールド性確保の為、グリップ部を設けており、外部端子はそのホールド性を阻害しないように、グリップの反対側に配置されていた。
【０００３】
しかしながら今日、撮像装置は小型化が求められており、効率的に内部スペースを使用するため、外部端子類をグリップ側にも複数配置している。例えば、特許文献１では、外部端子の端子蓋が示されている。
【先行技術文献】
【特許文献】
【０００４】
【特許文献１】特開２０１３−４１２６８号公報
【発明の概要】
【発明が解決しようとする課題】
【０００５】
しかしながら、上述の特許文献に開示された従来技術では、グリップ側の端子蓋に採用した場合、外部端子を使用しつつ、グリップを握る際に開いた端子蓋が手とカメラの間に入り、ユーザーにとってホールド性を損なうとともに、撮影動作時に煩わしい原因となってしまう。
【０００６】
そこで、本発明の目的は、端子蓋をグリップ側に配置しても外部端子使用時のユーザビリティを確保した撮像装置を提供することである。
【課題を解決するための手段】
【０００７】
上記目的を達成するために、本発明は、グリップ部と、外部機器と接続する外部端子と、前記外部機器と非接続時に前記外部端子を覆う外部端子蓋を備えた撮像装置において、前記外部端子は、第一の外部端子と第二の外部端子の少なくとも2つからなり、前記第一の外部端子は、前記撮像装置の前記グリップ部の把持時に手で覆われない位置に配置され、前記外部端子蓋は、弾性部材からなる蓋部と前記蓋部から略平行に延出されたアームと、本体引掛け部から構成され、前記アーム部は前記第一の外部端子下端より上方に配置することを特徴とする。
【発明の効果】
【０００８】
本発明によれば、端子蓋をグリップ側に配置しても外部端子使用時のユーザビリティを確保した撮像装置を提供することができる。
【図面の簡単な説明】
【０００９】
【図１】外部端子蓋閉状態での撮像装置斜視図
【図２】撮像装置側面図
【図３】外部端子蓋
【図４】内蓋斜視図
【図５】外部端子蓋裏面図
【図６】外部端子蓋上面図
【図７】図２におけるＡ−Ａ断面図
【図８】図２におけるＡ−Ａ断面図
【図９】外部端子使用時の撮像装置側面図
【発明を実施するための形態】
【００１０】
（撮像装置）
以下に、本発明の好ましい実施の形態を、添付の図面に基づいて詳細に説明する。図１は、本発明の実施形態にかかわる撮像装置の斜視図である。図１において100は撮像装置を示し、撮像装置100の外装は前カバー101、後ろカバー102、および上カバー103の外装部材で構成される。上カバー103には、レリーズ釦105、ファインダー107が配置される。ユーザーは、ファインダーを覗きながらレリーズ釦を押すことで撮影が可能となる。
【００１１】
この時、ユーザーはブラインド操作を行うため、撮像装置100のホールド性を高めるために、撮像装置100の右側面にはグリップ部104が構成されている。撮像装置100外装部に外部端子蓋106を設け、外部端子蓋106は弾性部材から構成される。外部端子が使用されないときは、外部端子蓋106が閉じられることにより外部端子へのほこりや水などの浸入を防止できる。図1における撮像装置100は、外部端子蓋106が閉状態の時を示している。図2は撮像装置を右から見た図であり、外部端子蓋106は不図示としている。図2において、110aは外部端子１を、110bは外部端子２をそれぞれ示している。
【００１２】
従来、撮像装置はシステム拡張のため、様々な外部端子が用意され、外部端子蓋を開け、外部端子が露出されることにより、撮像装置を外部の装置と接続させるためのケーブルなどを、外部端子に接続できる。一般的に外部端子は、撮影時のホールド性を阻害しないように、グリップ部とは反対側に配置される。しかしながら今日、撮像装置は小型化が求められており、効率的に内部スペースを使用するため、図２のように外部端子をグリップ側にも複数配置している。
【００１３】
撮像装置100は外部端子蓋106内部に、外部端子110a,110bが撮像装置の上下方向に縦に並んで配置される。外部端子１の110aは、グリップ部104上方に設けられ、ユーザーがグリップした際に、手にかからない位置に配置される。外部端子２の110bは、外部端子１の110aの下側に配置される。この外部端子１の110aにはグリップ部104をホールドする、いわゆる撮影時に使用する頻度の高い端子、ここではHDMI（登録商標）端子を配置する。
【００１４】
本実施形態では、HDMI（登録商標）端子110aが上記位置に配されているが、本実施形態の思想はこれに限定されない。図３は撮像装置100に搭載される外部端子蓋106、図４は内蓋108の斜視図である。図５は外部端子蓋106の裏面図である。図６は外部端子蓋106の上面図である。図３、４、５、６において106は外部端子蓋を、106aは蓋部を、106bはアーム部を、106cは本体引掛け部を、108は圧入用ボスを、109は内蓋を、109aは開口部１を、109bは開口部２を、109cはアーム部開口を109dはリブをそれぞれ示している。
【００１５】
外部端子蓋106は、蓋部106a、アーム部106b、本体引掛け部106cから構成され、弾性材料からなる。アーム部106b根元は上部の外部端子下端面より上側に配され、根元から蓋部106aに対して略平行に延出され、アーム部106b先端には外部端子蓋106が撮像装置100からの分離を防ぐ本体引掛け部106cを有している。端子蓋106内部には内蓋109が配され、内蓋109には外部端子を外部と連通させる開口部109a,109b、アーム部開口109cが配置され、ビス等により外装部品と一体的に固定されている。内蓋109外周部にはリブ109dになっている。
【００１６】
図5に示すように蓋部106aの裏面には複数の圧入用ボス108が設けられ、端子蓋106閉状態においては、内蓋109のリブ109dに圧入用ボス108が弾性変形し、圧入されることで、閉状態を保持する。これにより、外部端子110a,110bへのほこりや水などの浸入を防止する。図７、８は、図2におけるA-A線で切断したときの、撮像装置100の断面図である。外部端子蓋106が閉状態にあるとき、図7に示すように、外部端子蓋106のアーム106bは、前カバー101に略平行に収納される。このような構成をとることで撮像装置100の内部スペースを効率的に使用することが可能となる。
【００１７】
外部端子蓋106が開状態にあるとき、外部端子蓋106は蓋部106aから延出されたアーム部106bごと引き出され、本体引掛け部106cはアーム部開口109cと前カバーの間に掛ることで、端子蓋106が撮像装置100から分離することを防いでいる。図９は外部端子使用時の、撮像装置100の把持状態の模式図である。図９において、111は外部装置の接続ケーブルを示している。
【００１８】
先に述べたように、外部端子蓋106のアーム部106b根元は上部の外部端子下端面より上側に配されている。外部端子110aに外部機器を接続するには、外部端子蓋106を開け、さらに、アーム部106bが捻られることで可能となる。この時、撮像装置100とユーザーの手の間に外部端子蓋106は位置されず、アーム部106bのみがユーザーの手にかかるようになり、ホールド性を確保出来る。
【００１９】
上記構成を取ることにより、外部端子蓋をグリップ側に配置しても外部端子使用時のユーザビリティを確保した撮像装置を提供することが可能となる。
【００２０】
以上、本発明の好ましい実施形態について説明したが、本発明はこれらの実施形態に限定されず、その要旨の範囲内で種々の変形及び変更が可能である。
【符号の説明】
【００２１】
100.撮像装置
101.前カバー
102.後ろカバー
103.上カバー
104.グリップ
105.レリーズ釦
106.外部端子蓋
106a.蓋部
106b.アーム部
106c.本体引掛け部
107.ファインダー
108.圧入用ボス
109.内蓋
109a.開口部1
109b.開口部2
109c.アーム部開口
109d.リブ
110a.外部端子1
110b.外部端子2
111. 外部装置の接続ケーブル
【図１】
2018084717.tif 000003
【図２】
2018084717.tif 000004
【図３】
2018084717.tif 000005
【図４】
2018084717.tif 000006
【図５】
2018084717.tif 000007
【図６】
2018084717.tif 000008
【図７】
2018084717.tif 000009
【図８】
2018084717.tif 000010
【図９】
2018084717.tif 000011